(57)【特許請求の範囲】
【請求項１】
基部（５２）に設けられたブラケット（５３）に互いに平行かつ回転自在に支持された第１払拭手段（６０）および第２払拭手段（６１）と、該第１払拭手段（６０）および第２払拭手段（６１）を回転駆動するための電動機（７０ａ）
からなる洗浄装置であって、
前記第１払拭手段（６０）が、前記ブラケット（５３）に軸支された筒状の第１ベース部（６０ｂ）と、該第１ベース部（６０ｂ）の外面に設けられた第１の毛（６０ｈ）とからなり、前記電動機（７０ａ）の出力軸（Ｓ１）とクランク機構を介して連結され、
前記第２払拭手段（６１）が、前記ブラケット（５３）に軸支された１または２以上の筒状の第２ベース部（６１ｂ）と、該第２ベース部（６１ｂ）の外面に設けられた第２の毛（６１ｈ）とからなり、
前記電動機（７０ａ）の回転運動が伝導手段を介して第２ベース部（６１ｂ）に伝達され、
前記第２ベース部（６１ｂ）の直径が、第１ベース部（６０ｂ）の直径より小さく、
前記第２の毛（６１ｈ）の長さが、第１の毛（６０ｈ）の長さより短い
ことを特徴とする洗浄装置。
【発明の詳細な説明】
【０００１】
【発明の属する技術分野】
本発明は洗浄装置に関する。さらに詳しくは、電動機によって往復回転される第１払拭手段と一定の方向に連続的に回転する第２払拭手段とからなる洗浄装置に関する。
【０００２】
【従来の技術および発明が解決しようとする課題】
内燃機関、蒸気またはガスタービンプラント、自動車、オートバイなどの製造工場、自動車整備工場などにおいては、各種機械の組み立てや、修理の際に手にガソリン、軽油、Ａ重油、Ｂ重油、Ｃ重油などの燃料油、潤滑油、煤などの燃焼生成物、染料、塗料など、またはこれらを組み合わせたものが付着する。
【０００３】
このような機械の組み立て、修理中に手に付着した油類のばあい、いまだに石鹸を用いて手を揉むようにして洗い落としているのが現状であり、一般家庭における手洗いと大差はない。このように石鹸を用いて手を揉むようにして手を洗浄することは、掌の皮膚の凹凸をいわばブラシとして利用とし、１つの動作で両方の手を洗えることから、もっともひろく行われている。
【０００４】
しかしながらこの方法は、一般家庭における油（通常、石油など１種類の油）の洗浄はともかくとしても、叙上のような工場における作業中に付着した油のばあい、数種類の油と燃焼生成物との組み合わせであるため、どうしても洗浄し切れない油類が手に残るという欠点がある。
【０００５】
一方、かかる手作業による洗浄の問題点を解消するものとして、本発明者らは図１１〜１２に示される洗浄装置を提案している（特開平１０−２２９９５４号）。
【０００６】
図１１〜１２を参照すると、従来の洗浄装置１は、基部２に互いに対向して設けられたブラケット３に回転自在に支持された払拭手段４と、払拭手段４を所定の角度のあいだで往復回転駆動するための駆動手段５から構成されている。
【０００７】
従来の洗浄装置１において、払拭手段４は、第１ベース部４ｂと、第１ベース部４ｂに設けられた多数の毛４ｈが植え付けられてなる第１ブラシ部４である。
【０００８】
第１ベース部４ｂはブラケット３に回転自在に支持されている。
【０００９】
第１ベース部４はウレタン系エラストマーなどの熱可塑性エラストマーからなる円柱状を呈している。
【００１０】
第１ブラシ部４には従動軸Ｓ2が設けられており、従動軸Ｓ2は軸受を介してブラケット３に支持されている。
【００１１】
駆動手段５は、基部２に設けられた電動機５ａと、電動機５ａの出力軸Ｓ１に固定された第１歯車５ｂと、従動軸Ｓ2に固定されたクランク５ｃと、一端が第１歯車５ｂに偏心して揺動自在に取り付けられ、他端がクランク５ｃの端部に揺動自在に取り付けられた第１ロッド５ｄから構成されている。
【００１２】
払拭手段４はさらに第２ブラシ部４´を備えている。第２ブラシ部４´は第２ベース部と、該第２ベース部４´ｂに植え付けられた多数の毛４´ｈから構成されている。
【００１３】
なお、第２ベース部４´ｂの素材は第１ベース部と同一である。
【００１４】
第２ブラシ部４´は、１対のアーム６によって支持されている。１対のアーム６のそれぞれの第１端部６ａは従動軸Ｓ2に揺動自在に取りつけられ、１対のアーム６のそれぞれの第２端部６ｂおよび第３端部６ｃは第２ベース部４´ｂに揺動自在に取り付けられている。
【００１５】
第２ベース部４´ｂの左右２カ所には、ピンＰ１、Ｐ２が取り付けられている。ピンＰ１は、アーム６の第２端部６ｂと、後述の第２ロッド８の一端とを挿通している。ピンＰ２は、アーム６の第３端部６ｃを挿通している。
【００１６】
電動機５ａの回転力は、ブラケット３に回転自在に支持され第１歯車５ｂと噛み合う第２歯車７と、第２歯車７の偏心位置に一端が揺動自在に取り付けられた第２ロッド８とを介して前記第２ベース部４´ｂに伝達されている。
【００１７】
叙上の従来の洗浄装置のばあい、第１ブラシ部４の往復回転運動と、第２ブラシ部４′の往復運動とが同期されるようにしている。このため、構造が比較的複雑であるという欠点がある。さらに、第１ブラシ部４および第２ブラシ部４′がともに往復運動するため、指が挟まれるのではないかという恐怖感が伴う。
【００１８】
本発明の目的は、叙上の従来の問題点を解消し、構造が比較的単純で、洗浄能力が一層向上した洗浄装置を提供することである。
【００１９】
【課題を解決するための手段】
本発明の洗浄装置は、基部（５２）に設けられたブラケット（５３）に互いに平行かつ回転自在に支持された第１払拭手段（６０）および第２払拭手段（６１）と、該第１払拭手段（６０）および第２払拭手段（６１）を回転駆動するための電動機（７０ａ）
からなる洗浄装置であって、
前記第１払拭手段（６０）が、前記ブラケット（５３）に軸支された筒状の第１ベース部（６０ｂ）と、該第１ベース部（６０ｂ）の外面に設けられた第１の毛（６０ｈ）とからなり、前記電動機（７０ａ）の出力軸（Ｓ１）とクランク機構を介して連結され、
前記第２払拭手段（６１）が、前記ブラケット（５３）に軸支された１または２以上の筒状の第２ベース部（６１ｂ）と、該第２ベース部（６１ｂ）の外面に設けられた第２の毛（６１ｈ）とからなり、
前記電動機（７０ａ）の回転運動が伝導手段を介して第２ベース部（６１ｂ）に伝達され、
前記第２ベース部（６１ｂ）の直径が、第１ベース部（６０ｂ）の直径より小さく、
前記第２の毛（６１ｈ）の長さが、第１の毛（６０ｈ）の長さより短い
ことを特徴としている。
【００２０】
【発明の実施の形態】
添付図面を参照しながら、本発明の洗浄装置を詳細に説明する。
【００２１】
図１は本発明の一実施の形態にかかわる洗浄装置の一例を示す斜視図、図２は図１の左側面図、図３は図１の右側面図、図４は第１払拭手段の正面図、図５は図４の断面説明図、図６は図５の部分拡大図、図７は第２払拭手段の断面説明図、図８は第２払拭手段の断面説明図、図９は本発明の他の実施の形態にかかわる洗浄装置の一例を示す斜視図、図１０は図９の洗浄装置の要部説明図である。
【００２２】
実施の形態１
図１を参照すると、本発明の洗浄装置５１は、基部５２に設けられたブラケット５３に互いに平行かつ回転自在に支持された第１および第２払拭手段６０、６１と、第１および第２払拭手段６０、６１を回転駆動するための駆動手段７０から構成されている。
【００２３】
本発明の一実施の形態にかかわる洗浄装置５１において、第１払拭手段６０は、第１ベース部６０ｂと、第１ベース部６０ｂに設けられた第１の毛６０ｈが植え付けられてなる。
【００２４】
第１ベース部６０ｂはブラケット５３に軸受を介して回転自在に支持されている。
【００２５】
本実施の形態のばあい、第１ベース部６０ｂは、たとえばウレタン系エラストマーなどの熱可塑性エラストマーからなり、円筒状の外形を呈している。
【００２６】
本実施の形態のばあい、第１の毛６０ｈは図５に示されるように、第１ベース部６０ｂの円形断面の円周角２４０度に相当する円筒面の外面に植毛されている。また図６に示されるように、高い毛６０ｈ1と、低い毛６０ｈ2とが交互に配列されており、刺激を緩和でき、適度の摩擦を与えることができる。
【００２７】
第１ブラシ部６０には従動軸Ｓ2が設けられており、従動軸Ｓ2は軸受（図示されていない）を介してブラケット５３に支持されている。
【００２８】
本実施の形態の場合、駆動手段７０は、基部５２に設けられた電動機７０ａと、電動機７０ａの出力軸Ｓ１に固定された第１プーリ７０ｂ、第１プーリ７０ｂに固定された第１クランク７０ｃ、従動軸Ｓ2に固定された第２クランク７０ｄｃ、一端が第１クランク７０ｃに旋回自在に連結され、他端が第２クランク７０ｄの旋回自在に連結されたロッド７０ｅなるクランク機構とから構成されている。
【００２９】
図１、７および８に示されるように、本実施の形態に係る洗浄装置５１は、２つの第２払拭手段６１を備えている。これら第２払拭手段６１は、ともに円筒状の外形形状を呈した第２ベース部６１ｂと、該第２ベース部６１ｂに植え付けられた第２の毛６１ｈから構成されている。
【００３０】
なお、第２ベース部６１ｂの素材は第１ベース部６０ｂと同一である。第２ベース部６１ｂの直径は第１ベース部の直径より小さい。また第２の毛６１ｈは、第１の毛６０ｈより高い。
【００３１】
第２ベース部６１ｂの回転軸６１ｓｈには、電動機７０ａにより出力されたトルクをベルトにより伝えるための第２プーリ７０ｆが同軸状に設けられている。また、２つの第２ベース部６１ｂの一方には、第３プーリ７０ｇが第２プーリ７０ｆと同軸状に設けられている。さらに、第２ベース部６１ｂの他方には、回転軸６１ｓｈに第４プーリ７０ｈが設けられている。第３プーリ７０ｇと第４プーリ７０ｈとにベルトが掛けられている。このため、電動機７０ａが発生した回転トルクは、ベルトを介して２つの第２ベース部６１ｂに伝達される。このように本実施の形態では、第１ベース部６０ｂから第２ベース部６１ｂへの回転トルクの伝達、および２つの第２ベース部６１ｂ間の回転トルクの伝達は、ベルトによって実現しているが、ベルトに限られることはなく、ベルトの代わりに歯車を採用することもできる。
【００３２】
また、本実施の形態の場合、洗浄装置５１の上部に設けられた、手を挿入するための開口ＯＰに、配管部Ｐが設けられている。配管部Ｐには散水Ｄが多数設けられており、ポンプ（図示されていない）により石鹸水が収容されたタンク（図示されていない）と、すすぎ用の洗浄水が収容されたタンク（図示されていない）とから適宜石鹸水または洗浄水を吸引してまた噴出させるようにすると洗浄効果は一層向上する。
【００３３】
実施の形態２
本実施の形態にかかわる洗浄装置５１の場合、従動軸Ｓ2の両端付近に設けられたインボリュートスプラインＳＬにより第１払拭手段６０は左右に移動することができる（図９および１０参照）。
【００３４】
また、第１ベース部６０ｂの一端には、カムＣが形成されており、カムＣはガイドローラＧＲと当接している。さらに、第１ベース部６０ｂは圧縮コイルバネＳＰにより左側に付勢されている。
【００３５】
本実施の形態の場合、手の挿入口ＯＰ付近に赤外線検知手段Ｄが設けられている。さらに手を乾燥させるため、風または熱風を供給するためのブロワ（図示されていない）を設けることもできる。
【００３６】
本実施の形態にかかわる洗浄装置は、叙上の構成により、赤外線検知手段Ｄにより開口部ＯＰへの手の挿入が検知されると、所定の時間（数秒）石鹸水を噴出させたのち、電動機７０ａを駆動させることによって手を洗浄することができる。手が充分洗浄されると、実施の形態１と同様に、すすぎ用の洗浄水を噴出させたのち、ブロワにより手を乾燥することができる。
【００３７】
【発明の効果】
本発明によれば、構造が単純で、手が挟まれる恐怖感を抱くことなく、かつ洗浄能力が改善された洗浄装置を提供することができる。
【図面の簡単な説明】
【図１】本発明の一実施の形態にかかわる洗浄装置の一例を示す斜視図である。
【図２】図１の左側面図である。
【図３】図１の右側面図である。
【図４】第１払拭手段の正面図である。
【図５】図４の断面説明図である。
【図６】図５の部分拡大図である。
【図７】第２払拭手段の断面説明図である。
【図８】第２払拭手段の断面説明図である。
【図９】本発明の他の実施の形態にかかわる洗浄装置の一例を示す斜視図である。
【図１０】図１０の洗浄装置の要部を示す断面説明図である。
【図１１】従来の洗浄装置を示す斜視図である。
【図１２】図１１の洗浄装置の左側面図である。
【符号の説明】
５１  洗浄装置
５２  基部
５３  ブラケット
６０  第１払拭手段
６１  第２払拭手段
７０  駆動手段
【図１】
0004346716.tif 000002
【図２】
0004346716.tif 000003
【図３】
0004346716.tif 000004
【図４】
0004346716.tif 000005
【図５】
0004346716.tif 000006
【図６】
0004346716.tif 000007
【図７】
0004346716.tif 000008
【図８】
0004346716.tif 000009
【図９】
0004346716.tif 000010
【図１０】
0004346716.tif 000011
【図１１】
0004346716.tif 000012
【図１２】
0004346716.tif 000013